(57)【要約】【課題】  蓋の取付構造において、蓋の着脱作業を容易にし、かつ確実に着脱作業を行えるようにする。【解決手段】  リアーケース２に凹嵌部１０を設け、この凹嵌部１０の開口部１３を形成する底部１４には、係合孔１８と第２の係入凹部１９，１９とが設けられている。開口部１３を形成する両側壁１５，１５には、ガイド凸部１７，１７が設けられており、両側壁１５，１５の矢印Ｂ方向の端部には第１の係入凹部１６ａ，１６ａが設けられている。蓋２５の両側部２７，２７には、第１の係入凹部１６ａに係入される第１の係入突起２７ａが設けられており、両側部２７の先端面２７ｂ，２７ｂは、ガイド凸部１７に突き当てられる。蓋２５の底部２８の中央部には、係合孔１８に係合する弾性変形可能な係合爪２９ａが設けられており、この係合爪２９の両側には、第２の係入凹部１９に係入される第２の係入突起３０が設けられている。【選択図】  図６
2011077097.tif 000002
【特許請求の範囲】
【請求項１】
筺体の背面板に凹嵌部を設け、この凹嵌部を囲む囲い壁の筺体の下端側に位置する部位に開口部を形成し、この開口部を覆う蓋の取付構造であって、
前記開口部の底部に係合孔を設け、前記開口部の互いに対向する両側壁にガイド凸部を設けるとともに、これら両側壁の前記底部と反対側の端部に第１の係入凹部を設け、
前記蓋を、前記開口部を閉塞する弾性変形可能な閉塞部と、この閉塞部の両端から突設され前記両側壁に対接されるとともに前記ガイド凸部に突き当てられる両側部とによって形成し、
前記蓋の両側部に前記第１の係入凹部に係入される第１の係入突起を設け、前記蓋の閉塞部に前記係合孔に係合する弾性変形可能な係合爪を設けたことを特徴とする蓋の取付構造。
【請求項２】
前記係合孔の両側に一対の第２の係入凹部を設け、前記蓋の閉塞部に前記第２の係入凹部に係入される第２の係入突起を設けたことを特徴とする請求項１記載の蓋の取付構造。
【発明の詳細な説明】
【技術分野】
【０００１】
本発明は、壁等に掛けられる電子機器においてケーブルを配線するために筺体に設けた開口部を覆う蓋の取付構造に関するものである。
【背景技術】
【０００２】
この種の電子機器においては、ケーブルの屋内配線の作業を容易にするとともに配線の作業時間を短縮する目的で、電子機器を壁に掛けた状態で、ケーブルの屋内配線の作業を行うようにしている。この場合、壁と筺体との間のスペースが狭いため、電子機器の筺体に設けた開口部に、ケーブルを導出するために取り付ける蓋の着脱作業が煩雑になる。
【０００３】
この問題を解消するために、従来の蓋の取付構造として、筺体に形成した凹嵌部に、蓋を案内する支持部と蓋に設けた突起が係入される係入孔とが設けられ、蓋が支持部によって筺体の背面板の面方向に案内されることによって、突起が係入孔に係入され、突起と係入孔との間に設けられたカム手段のカム作用によって、蓋が凹嵌部を覆うことにより、蓋を筺体にねじ止めし、蓋を取り付けるようにしたものがある（例えば、特許文献１参照）。
【先行技術文献】
【特許文献】
【０００４】
【特許文献１】特開２００８−２５１９０９号公報
【発明の概要】
【発明が解決しようとする課題】
【０００５】
上述したような従来の蓋の取付構造においては、壁と筺体との間の狭い空間でのねじ止め作業が必要なため作業が煩雑になるというだけでなく、ドライバーを使用するスペースが取れない場合は作業に支障をきたすという問題があった。
【０００６】
本発明は上記した従来の問題に鑑みなされたものであり、その目的とするところは、蓋の着脱作業を容易にし、かつ確実に着脱作業が行える蓋の取付構造を提供するところにある。
【課題を解決するための手段】
【０００７】
この目的を達成するために、本発明は、筺体の背面板に凹嵌部を設け、この凹嵌部を囲む囲い壁の筺体の下端側に位置する部位に開口部を形成し、この開口部を覆う蓋の取付構造であって、
前記開口部の底部に係合孔を設け、前記開口部の互いに対向する両側壁にガイド凸部を設けるとともに、これら両側壁の前記底部と反対側の端部に第１の係入凹部を設け、前記蓋を、前記開口部を閉塞する弾性変形可能な閉塞部と、この閉塞部の両端から突設され前記両側壁に対接されるとともに前記ガイド凸部に突き当てられる両側部とによって形成し、前記蓋の両側部に前記第１の係入凹部に係入される第１の係入突起を設け、前記蓋の閉塞部に前記係合孔に係合する弾性変形可能な係合爪を設けたものである。
【０００８】
本発明は、前記発明において、前記係合孔の両側に一対の第２の係入凹部を設け、前記蓋の閉塞部に前記第２の係入凹部に係入される第２の係入突起を設けたものである。
【発明の効果】
【０００９】
本発明によれば、蓋の両側部を筺体のガイド凸部に突き当て、このガイド凸部をガイドとして蓋を移動させることにより、蓋の第１の係入突起が開口部の第１の係入凹部に係入されるとともに、蓋の係合爪が弾性変形しながら筺体の係合孔に係合し、蓋が開口部を閉塞するようにして筺体に取り付けられる。このように、蓋を筺体に取り付けるのにねじを不要とし、かつガイド凸部によってガイドされながら係合爪の弾性変形によって行うようにしたことにより、蓋の取付作業が容易になり、かつ従来のようにドライバーを使用するスペースが取れない場合に作業に支障をきたすというようなことがなく、確実に蓋の取付けを行うことができる。また、蓋を筺体から取り外す場合は、蓋の閉塞部を弾性変形させることにより、係合爪と係合孔との係合が解除されるため、蓋の取り外し作業が容易になる。
【図面の簡単な説明】
【００１０】
【図１】本発明に係る蓋の取付構造を実施した電子機器を裏面側から視た斜視図である。
【図２】本発明に係る蓋の取付構造を実施した電子機器において、蓋を取り付けた状態を示す裏面側から視た要部の斜視図である。
【図３】本発明に係る蓋の取付構造を実施した電子機器を壁に掛けられた状態を示す、図２におけるIII-III 線断面図である。
【図４】本発明に係る蓋の取付構造を実施した電子機器において、蓋を取り外した状態を示す要部の底面図である。
【図５】本発明に係る蓋を示し、同図（Ａ）は平面図、同図（Ｂ）は正面図、同図（Ｃ）は正面側から視た斜視図、同図（Ｄ）は背面側から視た斜視図である。
【図６】本発明に係る蓋を取り付ける方法を説明するための斜視図である。
【発明を実施するための形態】
【００１１】
以下、本発明の実施の形態を図１ないし図６に基づいて説明する。図１に全体を符号１で示す電子機器は、共に一面が開口し浅底状に形成され背面板５を有するリアーケース２およびフロントケース３によって構成され、これら両ケース２，３を互いの開口端縁を対接させて結合することにより筺体４が形成される。
【００１２】
背面板５には、左右（矢印Ｅ−Ｆ方向）二対の壁掛け用フック部７と、左右二対のゴム足８と、電子機器１が壁に掛けられたときに、壁に対向する開口１１が形成され周囲が囲い壁１２によって囲まれた凹嵌部１０とが設けられている。凹嵌部１０の囲い壁１２の背面板５の下端側（矢印Ｄ方向端部）に位置する部位には、長方形に形成された開口部１３が設けられている。
【００１３】
開口部１３は、凹嵌部１０の底部と連設された底部１４とこの底部１４の矢印Ｅ−Ｆ方向の両端から互いに対向するように立設する一対の側壁１５，１５とによって形成されている。これら側壁１５，１５の底部１４と反対側の端部（矢印Ｂ方向端部）１６に第１の係入凹部１６ａが設けられているとともに、両側壁１５，１５の底部１４と矢印Ｂ方向端部１６との間にガイド凸部１７が互いに対向するように設けられている。底部１４の矢印Ｅ−Ｆ方向の中央部には、係合孔１８が設けられており、この係合孔１８の裏面側には、後述する係合爪２９ａが係合する係合部１８ａ（図３参照）が矢印Ｄ方向に延在している。この係合孔１８の矢印Ｅ−Ｆ方向の両側には、一対の第２の係入凹部１９，１９が設けられている。
【００１４】
２０，２１は凹嵌部１０の底部に設けられたモジュラージャック、２２は凹嵌部１０の底部に実装された端子台、２３は凹嵌部１０の底部に実装された電源用ジャックである。
【００１５】
図５に全体を符号２５で示す蓋は、上記した開口部１３を閉塞する長方形に形成された弾性変形可能な閉塞部２６と、この閉塞部２６の両端に互いに対向するように閉塞部２６と直交する方向に突設された両側部２７，２７と、閉塞部２６の下端に閉塞部２６と直交する方向に突設され両側部２７，２７間に延在する底部２８とによって構成されている。
【００１６】
閉塞部２６には、同図（Ｄ）に示すように、破断可能な窓２６ａが設けられており、この窓２６ａを閉塞部２６から除去することにより、凹嵌部１０内に設けられたモジュラージャック２０，２１に電気的に接続されるケーブル（図示せず）および電源用ジャック２３に電気的に接続されるコード（図示せず）ならびに凹嵌部１０内に設けられた端子台２２に電気的に接続されたコード（図示せず）を電子機器１の外部に導出することが可能になる。
【００１７】
蓋２５の両側部２７，２７には、上記した第１の係入凹部１６ａに係入される第１の係入突起２７ａが設けられており、この両側部２７，２７の先端面２７ｂ，２７ｂは、後述するように蓋２５を開口部１３に組み付ける際に、ガイド凸部１７に突き当てられる。底部２８の矢印Ｅ−Ｆ方向の中央部には、図３に示すように断面コ字状に形成された弾性変形可能な係合片２９が突設されており、先端部には矢印Ｄ方向に突設され上記した係合孔１８の係合部１８ａに係合する係合爪２９ａが設けられている。この係合片２９の矢印Ｅ−Ｆ方向の両側には、上記した第２の係入凹部１９，１９に係入される第２の係入突起３０，３０が底部２８に突設されている。
【００１８】
次に、このように構成された蓋の取付構造において、蓋の着脱動作について説明する。予め、図１に示すようにリアーケース２から蓋２５を取り外し、必要に応じてモジュラージャック２０，２１にケーブル（図示せず）を電気的に接続するとともに、電源用ジャック２３にコード（図示せず）を電気的に接続し、かつ端子台２２にコード（図示せず）を電気的に接続しておく。また、必要に応じて蓋２５から窓２６ａを除去しておく。
【００１９】
この状態としてから、蓋２５が取り外すされた電子機器１を、図３に示すように壁３１に掛け、図示を省略したケーブルやコードの配線作業を行う。配線作業が終了したら、図６に示すように、蓋２５を矢印Ｃ方向に移動させ、蓋２５の両側部２７，２７を両側壁１５，１５対接させながら、蓋２５を開口部１３に挿入する。次いで、両側部２７，２７の先端面２７ｂ，２７ｂをガイド凸部１７，１７に突き当て、このガイド凸部１７をガイドとして蓋２５を矢印Ａ方向へ移動させる。この移動によって、第１の係入凹部１６ａ，１６ａに第１の係入突起２７ａ，２７ａが係入されるとともに、第２の係入凹部１９，１９に第２の係入突起３０，３０が係入され、かつ係合孔１８の係合部１８ａに係合片２９が弾性変形しながら係合爪２９ａが係合する。
【００２０】
係合部１８ａに係合爪２９ａが係合することにより、蓋２５の矢印Ａ−Ｂ方向への移動が規制される。また、係合部１８ａに係合爪２９ａが係合し、かつ第１および第２の係入凹部１６ａ，１９に第１および第２の係入突起２７ａ，３０が係入されることにより、蓋２５の矢印Ｃ−Ｄ方向への移動が規制される。さらに、両側壁１５，１５に蓋２５の両側部２７，２７が対接していることにより、蓋２５の矢印Ｅ−Ｆ方向への移動が規制され、蓋２５は開口部１３を閉塞してリアーケース２に取り付けられる。リアーケース２に取り付けられた蓋２５には、窓２６ａから導出されるケーブルやコード等によって、矢印Ｄ方向の負荷がかかったとしても、負荷がかかる方向Ｄが係合爪２９ａが係合部１８ａから係合が外れる方向と反対方向であるため、蓋２５がリアーケース２から外れるようなことがない。
【００２１】
このように、蓋２５をリアーケース２に取り付けるのに、両側部２７の先端面２７ｂをガイド凸部１７に突き当てた状態で、このガイド凸部１７によってガイドされながら、第１および第２の係入凹部１６ａ，１９に第１および第２の係入突起２７ａ，３０が係入され、かつ係合部１８ａに係合爪２９ａが係合されるため、壁３１とリアーケース２との間の限られたスペースにおいても蓋２５の取付けの作業性が向上する。しかも、蓋２５の取付けに当たっては、係合部１８ａに係合片２９を弾性変形させながら係合爪２９ａが係合させるだけであって、ねじ止め作業が不要であるため、より作業性が向上するとともに、従来のようにドライバーを使用するスペースが取れない場合に作業に支障をきたすというようなことがなく、確実に蓋の取付けを行うことができる。
【００２２】
次に、このように蓋２６が取り付けられた電子機器１の保守点検を行う場合は、電子機器１を壁３１に掛けた状態で、蓋２５の閉塞部２６の中央部を、指等によって図３中矢印Ｃ方向に押圧することにより、閉塞部２６が矢印Ｃ方向に弾性変形するので、係合部１８ａと係合爪２９ａとの係合が解除される。この状態で、蓋２６を矢印Ｂ方向にわずかに移動させることにより、第１および第２の係入凹部１６ａ，１９に対する第１および第２の係入突起２７ａ，３０の係入が解除されるため、蓋２５をリアーケース２から取り外すことができる。このように、蓋２５をリアーケース２から取り外すのに、ねじの螺合を解除することなく、閉塞部２６を弾性変形させるだけで行えるため、取り外しの作業が容易になる。
【符号の説明】
【００２３】
１…電子機器、２…リアーケース、５…背面板、１０…凹嵌部、１２…囲い壁、１３…開口部、１４…底部、１５…側壁、１６ａ…第１の係入凹部、１７…ガイド凸部、１８…係合孔、１９…第２の係入孔、２５…蓋、２６…閉塞部、２７…側部、２７ａ…第１の係入突起、２９ａ…係合爪、３０…第２の係入突起、３１…壁。
【図１】
2011077097.tif 000003
【図２】
2011077097.tif 000004
【図３】
2011077097.tif 000005
【図４】
2011077097.tif 000006
【図５】
2011077097.tif 000007
【図６】
2011077097.tif 000008